(57)【要約】      （修正有）【課題】赤外線サーモグラフィの制御システム及び制御方法を提供する。【解決手段】赤外線サーモグラフィ２の制御システムはクライアント側と通信ネットワークを介してクライアント側に接続されるとともに、赤外線テスト及び／または監視を行うべき場所に取り付けられ、監視ターゲットの赤外線サーモグラム映像及び赤外線サーモグラムに含まれたポイントの温度データを提供するためのサーバー側としての赤外線サーモグラフィとを含み、クライアント側が赤外線サーモグラフィから離れた位置に設置され、赤外線サーモグラフィに対するリモートコントロール操作を提供し、監視作業員またはユーザに、携帯電話１を利用した赤外線サーモグラフィに対するリモート監視及び操作を行わせる。【選択図】図１
2013068615.tif 000002
【特許請求の範囲】
【請求項１】
クライアント側と、
通信ネットワークを介して前記クライアント側に接続されるとともに、赤外線テスト及び／または監視を行うべき場所に取り付けられ、監視ターゲットの赤外線サーモグラム映像と前記赤外線サーモグラムに含まれた各ポイントの温度データを提供するための、サーバー側としての赤外線サーモグラフィ（２）と
を含み、
前記クライアント側は、前記赤外線サーモグラフィ（２）から離れた位置に設置され、前記赤外線サーモグラフィ（２）に対するリモートコントロール操作を提供する
赤外線サーモグラフィの制御システム。
【請求項２】
前記クライアント側は携帯電話（１）であり、
前記赤外線サーモグラフィ（２）に対する前記リモートコントロール操作は、
前記赤外線サーモグラフィ（２）のカメラの方向変化及び位置移動、傾斜角度及び回転角度の変化、並びに画像の撮影動作を制御することと、
前記赤外線サーモグラフィ（２）により撮影された赤外線サーモグラム映像に対して画像キャプチャ、伝送及び携帯電話のディスプレーへの表示を行うことと、
前記携帯電話（１）からの音声情報を前記赤外線サーモグラフィ（２）に送信して記録及び／または再生を行うとともに、前記赤外線サーモグラフィからの音声情報を前記携帯電話に送信して記録及び／または再生を行うことと
を含む
請求項１に記載の赤外線サーモグラフィの制御システム。
【請求項３】
前記携帯電話（１）は、
制御コマンドを生成して送信するためのキーボード（１１）と、
前記赤外線サーモグラフィ（２）から送信された赤外線サーモグラムのデータ信号の受信、温度情報の抽出及び画像ブラウザーの作成を行うための画像解析・処理モジュール（１２）と、
前記携帯電話（１）により生成されたリアルタイム音声データまたは格納された音声データを前記赤外線サーモグラフィ（２）に送信するとともに、前記赤外線サーモグラフィ（２）からの音声データを受信して記録及び／または再生を行う音声記録／再生モジュール（１３）と、
前記キーボード（１１）と前記画像解析・処理モジュール（１２）と前記音声記録／再生モジュール（１３）とのそれぞれに接続され、前記赤外線サーモグラフィ（２）へ信号を送信、及び／または、前記赤外線サーモグラフィから信号を受信するための携帯電話通信インターフェース（１４）と、
前記画像解析・処理モジュール（１２）により生成された画像とデータ情報を表示するためのディスプレー（１５）と
を含み、
前記赤外線サーモグラフィ（２）へ送信される信号または前記赤外線サーモグラフィ（２）からの信号は、制御コマンド信号と、音声データ信号と、画像データ信号とを含む
請求項２に記載の赤外線サーモグラフィの制御システム。
【請求項４】
前記赤外線サーモグラフィ（２）は組み込みプラットフォーム（２０）とカメラ（２５）とを含み、
前記組み込みプラットフォーム（２０）には、
前記携帯電話（１）からの制御コマンドを受信及び識別し、受信及び識別された制御コマンドを、動作制御、画像キャプチャ及び音声記録／再生のそれぞれに対応する操作指令に変換するための制御モジュール（２１）と、
前記カメラ（２５）により撮影された赤外線サーモグラム映像に対し画像キャプチャ、バッファリング及び送信を行うための画像キャプチャ・バッファリングモジュール（２２）と、
前記携帯電話（１）からの音声データを受信して格納するとともに、前記携帯電話（１）に前記赤外線サーモグラフィ（２）により生成された音声データを送信する音声読み書きモジュール（２３）と、
前記制御モジュール（２１）と前記画像キャプチャ・バッファリングモジュール（２２）と前記音声読み書きモジュール（２３）とのそれぞれに接続され、前記携帯電話（１）へ信号を送信、及び／または、前記携帯電話（１）から信号を受信するためのサーモグラフィ通信インターフェース（２４）と
が設けられ、
前記携帯電話（１）へ送信される信号または前記携帯電話（１）からの信号は、制御コマンド信号と、音声データ信号と、画像データ信号とを含む
請求項１又は２に記載の赤外線サーモグラフィの制御システム。
【請求項５】
前記赤外線サーモグラフィ（２）から離れた位置に設置されたクライアント側により、前記赤外線サーモグラフィに対するリモートコントロール操作を提供するステップと、
赤外線テスト及び／または監視を行うべき場所に取り付けられた赤外線サーモグラフィ（２）により、監視ターゲットの赤外線サーモグラム映像と前記赤外線サーモグラムに含まれる各ポイントの温度データを提供するステップを含む
赤外線サーモグラフィの制御方法。
【請求項６】
前記クライアント側は携帯電話（１）であり、
前記赤外線サーモグラフィ（２）に対する前記リモートコントロール操作は、
前記赤外線サーモグラフィ（２）のカメラの方向変化及び位置移動、傾斜角度及び回転角度の変化、並びに画像の撮影動作を制御するステップと、
前記赤外線サーモグラフィ（２）により撮影された赤外線サーモグラム映像に対し画像キャプチャ、バッファリング、解析及び伝送を行い、携帯電話のディスプレーに表示するステップと、
前記携帯電話（１）からの音声情報を前記赤外線サーモグラフィに送信して記録及び／または再生を行うとともに、前記赤外線サーモグラフィ（２）からの音声情報を前記携帯電話（１）に送信して記録及び／または再生を行うステップと
を含む
請求項５に記載の赤外線サーモグラフィの制御方法。
【請求項７】
前記リモートコントロール操作は、さらに、
前記携帯電話（１）と前記赤外線サーモグラフィ（２）のそれぞれに設置された携帯電話通信インターフェース（１４）とサーモグラフィ通信インターフェース（２４）により、前記携帯電話（１）と前記赤外線サーモグラフィ（２）との間において、両者の間で伝送される制御コマンド信号、音声データ信号及び画像データ信号を含む信号の信号通信を実現するステップを含む
請求項６に記載の赤外線サーモグラフィの制御方法。
【請求項８】
前記携帯電話通信インターフェース（１４）と前記サーモグラフィ通信インターフェース（２４）との間では、ブルートゥース通信プロトコルに従って無線通信を行う
請求項７に記載の赤外線サーモグラフィの制御方法。
【請求項９】
前記携帯電話通信インターフェース（１４）と前記サーモグラフィ通信インターフェース（２４）との間では、ＷｉＦｉに基づくＬＡＮ通信プロトコルに従って通信を行い、
前記携帯電話（１）及び赤外線サーモグラフィ（２）はＡＰ接入方式でインターネットに接続するか、または、
携帯電話（１）はＡＰ接入方式でインターネットに接続し、赤外線サーモグラフィ（２）は自分自身のネットワークデータインターフェースを介して直接インターネットに接続する
請求項７に記載の赤外線サーモグラフィの制御方法。
【請求項１０】
前記携帯電話通信インターフェース（１４）と前記サーモグラフィ通信インターフェース（２４）との間では、ＷｉＦｉに基づくａｄ-ｈｏｃネットワーク通信プロトコルに従って無線通信を行う
請求項７に記載の赤外線サーモグラフィの制御方法。
【発明の詳細な説明】
【技術分野】
【０００１】
本発明は、赤外線サーモグラフィの応用分野に関し、特に、携帯電話を用いた赤外線サーモグラフィの制御システム及びその制御方法に関する。
【背景技術】
【０００２】
赤外線サーモグラフィは、赤外線イメージング機能と温度計測機能に優れているため、工業または民用の生産、組立て及び計測などの分野において幅広く適用されている。赤外線サーモグラフィは、赤外線センシング技術に基づいて物体の赤外線サーモグラムを撮影したり、物体の位置及び動作状態などを検出したりなどして、被撮影物体の構造、動作及び状態に関する赤外線アナログ信号とデジタル信号を取得することができる。
【０００３】
通常、赤外線サーモグラフィを利用して検出や監視を行うときには、専門の作業員が現場監視や現場操作することが必要になるが、人間が現場で赤外線サーモグラフィの監視や操作を直接行うのに適しない場合もある。例えば、製品生産工場や実験室の場合、サーモグラフィの取り付け場所の温度が非常に高いか非常に低く、また、一部の区間や時間帯において高強度の放射能や毒性汚染などが起こるような極端に悪い環境条件になりうるため、人間が入り込むことや長時間の作業に適しない。また、赤外線サーモグラフィが高すぎ、低すぎまたは狭すぎの場所に取り付けられる場合があるため、ユーザが作業位置に入り込むことやその場所での作業に不便である。また、家庭や商用に適用される場合、赤外線サーモグラフィを利用した環境監視または施設監視を長年にわたって行う場合が多く、このような場合には、ユーザが常にその現場にいられないため、一旦異常や緊急事態が起こったとしても、ユーザがその場にいないと、直ちに通報や処置ができないため、深刻な結果を招きやすくなる。
【発明の概要】
【０００４】
本発明は、上記のような従来技術における問題点を解決するためになされたものであり、監視作業員またはユーザが携帯電話を用いて赤外線サーモグラフィに対するリモート監視及び操作を行うための赤外線サーモグラフィの制御システム及び制御方法を提供することを目的とする。
【０００５】
さらに、本発明は、クライアント側としての携帯電話のユーザが携帯電話のディスプレー上でサーバー側（赤外線サーモグラフィ）からの画像画面をいつでも閲覧できるとともに、必要に応じて当該画像画面を解析処理することができ、また、携帯電話と赤外線サーモグラフィとの間で音声信号を共有することができるため、ユーザが別の場所にいても、現場状况を適時に把握できるので、異常故障を適時に処置することができるようにすることを、その目的とする。
【０００６】
本発明は、上記の目的を達成するために、クライアント側と、通信ネットワーク（例えばＷｉＦｉまたはＢｌｕｅｔｏｏｔｈ（登録商標））を介して前記クライアント側に接続されるとともに、赤外線テスト及び／または監視を行うべき場所に取り付けられ、監視さーゲットの赤外線サーモグラム映像と前記赤外線サーモグラムに含まれた各ポイントの温度データを提供する、サーバー側としての赤外線サーモグラフィとを含み、前記クライアント側は、前記赤外線サーモグラフィから離れた位置に設置され、前記赤外線サーモグラフィに対するリモートコントロール操作を提供する赤外線サーモグラフィの制御システムを提供する。
【０００７】
本発明に係る実施例において、前記クライアント側は携帯電話であり、前記赤外線サーモグラフィに対する前記リモートコントロール操作は、前記赤外線サーモグラフィのカメラの方向変化及び位置移動、傾斜角度及び回転角度の変化、並びに画像の撮影動作を制御することと、前記赤外線サーモグラフィにより撮影された赤外線サーモグラム映像に対して画像キャプチャ、伝送及び携帯電話のディスプレーへの表示を行うことと、前記携帯電話からの音声情報を前記赤外線サーモグラフィに送信して記録及び／または再生を行うとともに、前記赤外線サーモグラフィからの音声情報を前記携帯電話に送信して記録及び／または再生を行うこととを含む。
【０００８】
本発明に係る実施例において、前記携帯電話は、制御コマンドを生成して送信するためのキーボードと、前記赤外線サーモグラフィから送信された赤外線サーモグラムのデータ信号の受信、温度情報の抽出及びイメージ閲覧のための画像ブラウザーの作成を行うための画像解析・処理モジュールと、前記携帯電話により生成されたリアルタイム音声データまたは格納された音声データを前記赤外線サーモグラフィに送信するとともに、前記赤外線サーモグラフィからの音声データを受信して記録及び／または再生を行う音声記録／再生モジュールと、前記キーボードと前記画像解析・処理モジュールと前記音声記録／再生モジュールとのそれぞれに接続され、前記赤外線サーモグラフィへ信号を送信、及び／または、前記赤外線サーモグラフィから信号を受信するための携帯電話通信インターフェースと、前記画像解析・処理モジュールにより生成された画像とデータ情報を表示するためのディスプレーとを含み、前記赤外線サーモグラフィへ送信される信号または前記赤外線サーモグラフィからの信号は、制御コマンド信号と、音声データ信号と、画像データ信号とを含む。
【０００９】
本発明に係る実施例において、前記赤外線サーモグラフィは組み込みプラットフォームとカメラとを含み、前記組み込みプラットフォームには、前記携帯電話からの制御コマンドを受信及び識別し、受信及び識別された制御コマンドを、動作制御、画像キャプチャ及び音声記録／再生のそれぞれに対応する操作指令に変換するための制御モジュールと、前記カメラにより撮影された赤外線サーモグラム映像に対し画像キャプチャ、バッファリング及び送信を行うための画像キャプチャ・バッファリングモジュールと、前記携帯電話からの音声データを受信して格納するとともに、前記携帯電話に前記赤外線サーモグラフィにより生成された音声データを送信する音声読み書きモジュールと、前記制御モジュールと前記画像キャプチャ・バッファリングモジュールと前記音声読み書きモジュールとのそれぞれに接続され、前記携帯電話へ信号を送信、及び／または、前記携帯電話から信号を受信するためのサーモグラフィ通信インターフェースとが設けられ、前記携帯電話へ送信される信号または前記携帯電話からの信号は、制御コマンド信号と、音声データ信号と、画像データ信号とを含む。
【００１０】
本発明は、上記の目的を達成するために、前記赤外線サーモグラフィから離れた位置に設置されたクライアント側により、前記赤外線サーモグラフィに対するリモートコントロール操作を提供するステップと、赤外線テスト及び／または監視を行うべき場所に取り付けられた赤外線サーモグラフィにより、監視ターゲットの赤外線サーモグラム映像と前記赤外線サーモグラムに含まれたポイントの温度データを提供するステップを含む赤外線サーモグラフィの制御方法を提供する。
【００１１】
本発明に係る実施例において、前記クライアント側は携帯電話であり、前記赤外線サーモグラフィに対する前記リモートコントロール操作は、前記赤外線サーモグラフィのカメラの方向変化及び位置移動、傾斜角度及び回転角度の変化、並びに画像の撮影動作を制御するステップと、前記赤外線サーモグラフィにより撮影された赤外線サーモグラム映像に対して画像キャプチャ、バッファリング、解析及び伝送を行い、携帯電話のディスプレーに表示するステップと、前記携帯電話からの音声情報を前記赤外線サーモグラフィに送信して記録及び／または再生を行うとともに、前記赤外線サーモグラフィからの音声情報を前記携帯電話に送信して記録及び／または再生を行うステップとを含む。
【００１２】
本発明に係る実施例において、前記リモートコントロール操作は、さらに、前記携帯電話と前記赤外線サーモグラフィのそれぞれに設置された携帯電話通信インターフェースとサーモグラフィ通信インターフェースにより、前記携帯電話と前記赤外線サーモグラフィとの間において、両者の間で伝送される制御コマンド信号、音声データ信号及び画像データ信号を含む信号の信号通信を実現するステップを含む。
【００１３】
本発明に係る実施例において、前記携帯電話通信インターフェースと前記サーモグラフィ通信インターフェースとの間では、ブルートゥース通信プロトコルに従って無線通信を行う。
【００１４】
本発明に係る実施例において、前記携帯電話通信インターフェースと前記サーモグラフィ通信インターフェースとの間では、ＷｉＦｉに基づくＬＡＮ（Ｌｏｃａｌ  Ａｒｅａ  Ｎｅｔｗｏｒｋ）通信プロトコルに従って通信を行い、前記携帯電話及び赤外線サーモグラフィはＡＰ接入方式でインターネットに接続するか、または、携帯電話はＡＰ接入方式でインターネットに接続し、赤外線サーモグラフィは自分自身のネットワークデータインターフェースを介して直接インターネットに接続する。
【００１５】
本発明に係る実施例において、前記携帯電話通信インターフェースと前記サーモグラフィ通信インターフェースとの間では、ＷｉＦｉに基づくａｄ-ｈｏｃネットワーク通信プロトコルに従って無線通信を行う。
【００１６】
本発明は、監視用赤外線サーモグラフィとユーザにより常に携帯される携帯電話に対して一連のハードウェア及びソフトウェアの改良を行うことで、赤外線サーモグラフィと携帯電話との間でのデータ通信を実現でき、人間が赤外線サーモグラフィの監視場所に入り込むことや当該場所での長時間の作業に無理がある場合、ユーザは別の場所で携帯電話を用いて赤外線サーモグラフィに対するリモートコントロールを行うことができる。
【００１７】
ユーザは、赤外線サーモグラフィの組み込みプラットフォーム及びカメラの各種動作に対してリモートコントロールを行うとともに、ブルートゥース通信またはＷｉＦｉ通信などの方式を利用して、携帯電話と赤外線サーモグラフィとの間で画像及び音声信号のやり取り及び共有を実現できるため、携帯電話のディスプレーおいて赤外線サーモグラフィからの画像画面及び温度データのキャプチャ及び再生を実現するか、又は、赤外線サーモグラフィと携帯電話との間で音声信号の双方向のやり取り及び共有を実現することができるので、現場にいないユーザが適時に現場状况を把握し適時に処置することが非常に容易に実現できる。
【図面の簡単な説明】
【００１８】
【図１】本発明に係る赤外線サーモグラフィ制御システムの構成を示すブロック図である。
【図２】本発明に係る携帯電話の機能を示すブロック図である。
【図３】本発明に係る赤外線サーモグラフィの機能を示すブロック図である。
【図４Ａ】本発明に係る携帯電話と赤外線サーモグラフィとの間の接続及び通信方式を示す模式図である。
【図４Ｂ】本発明に係る携帯電話と赤外線サーモグラフィとの間の接続及び通信方式を示す模式図である。
【図４Ｃ】本発明に係る携帯電話と赤外線サーモグラフィとの間の接続及び通信方式を示す模式図である。
【図５】図５は本発明に係る赤外線サーモグラフィ制御方法のフローチャートである。
【発明を実施するための形態】
【００１９】
以下、本発明に係る実施例の目的、技術案及びその利点をより一層明確にするために、図面を参照しながら、本発明に係る実施例についてさらに詳しく説明する。ここで、本発明を模式的に示す実施例及びその説明は、本発明を解釈するためのものであって、本発明に対する限定と見なしてはいけない。
【００２０】
本発明に係る赤外線サーモグラフィの制御システムはクライアント側とサーバー側とを含む。クライアント側は、例え携帯電話１であってもよく、サーバー側は、例え赤外線サーモグラフィ２であってもよい。本発明に係る一実施例において、前記携帯電話１は、汎用のＡｎｄｒｏｉｄ携帯電話であっても良い。クライアント側のソフトウェアは、Ａｎｄｒｏｉｄシステムを基に開発されたものであり、前記Ａｎｄｒｏｉｄ携帯電話に搭載されるハードウェアモジュールであるＷｉＦｉ及びＢｌｕｅｔｏｏｔｈ（登録商標）を使用することによりその機能を実現するようにしてもよい。前記携帯電話１の品番は例えＨＴＣ  Ｇ６であっても良く、前記赤外線サーモグラフィ２は、例え中国の広州颯特会社（ＳＡＴ）の開発した最新の組み込み式赤外線サーモグラフィ（ＶＳ６４０）を使用しても良いが、本発明はこれらに限定されるものではない。携帯電話１と赤外線サーモグラフィ２とは、適切な仕様やパッケージングによりお互いに通信可能である。すなわち、本システムの通信経路は、クライアント側ソフトウェア⇔携帯電話ＡｎｄｒｏｉｄシステムのＷｉＦｉまたはＢｌｕｅｔｏｏｔｈ（登録商標）モジュール⇔赤外線サーモグラフィのＷｉＦｉまたはＢｌｕｅｔｏｏｔｈ（登録商標）モジュール⇔赤外線サーモグラフィ２のようになる。
【００２１】
本発明において、携帯電話１と赤外線サーモグラフィ２との間での互換性及び信号のリアルタイム通信を実現するために、携帯電話１と赤外線サーモグラフィ２のそれぞれに対して一連のハードウェア改良及びソフトウェア開発を行った結果、最終的に、監視作業員の赤外線サーモグラフィに対するリモート監視が可能になった比較的に理想的な技術案に想到した。
【００２２】
表１は、本発明に用いられるソフトウェア開発環境と、クライアント側とサーバー側のそれぞれに用いられるハードウェア及びソフトウェア動作環境の実例を示す表である。
【００２３】
【表１】
2013068615.tif 000003
また、サーバー側としての赤外線サーモグラフィ２は、赤外線テスト及び／または監視を行うべき場所に取り付けられ、監視ターゲットの赤外線サーモグラム映像と前記赤外線サーモグラムに含まれる各ポイントの温度データを提供し、一方、クライアント側としての携帯電話１は、ユーザに携帯されて、前記赤外線サーモグラフィから離れた位置に設けられるようになっており、前記赤外線サーモグラフィ２に対してリモートコントロール操作を供する。前記リモートコントロール操作は、前記赤外線サーモグラフィ２のカメラの方向変化及び位置移動、傾斜角度及び回転角度の変化、並びに画像の撮影動作を制御することと、前記赤外線サーモグラフィ２により撮影された赤外線サーモグラム映像に対し画像キャプチャ、解析及び伝送を行い、携帯電話のディスプレーに表示することと、前記携帯電話１からの音声情報を前記赤外線サーモグラフィ２に送信して記録及び／または再生を行うとともに、前記赤外線サーモグラフィ２からの音声情報を前記携帯電話１に送信して記録及び／または再生を行うこととを含む。
【００２４】
図１は、本発明に係る赤外線サーモグラフィの制御システムの構成を示すブロック図である。図１に示すように、前記システムの携帯電話１は、制御コマンドを生成して送信するためのキーボード１１と、前記赤外線サーモグラフィから送信された赤外線サーモグラムのデータ信号を受信して、温度情報を抽出して画像ブラウザーを作成し、前記携帯電話のディスプレーにグラフ表示するための画像解析・処理モジュール１２と、リアルタイム音声データを生成して、前記赤外線サーモグラフィにより生成されたリアルタイム音声データまたは格納された音声データを送信するとともに、前記赤外線サーモグラフィからの音声データを受信して記録及び／または再生する音声記録／再生モジュール１３と、前記赤外線サーモグラフィへ信号を送信、及び／または、前記赤外線サーモグラフィから信号の受信をするための携帯電話通信インターフェース１４と、前記画像解析・処理モジュール１２により生成された画像とデータ情報を直観的に表示するためのディスプレー１５とを含む。なお、前記赤外線サーモグラフィへ送信される信号または前記赤外線サーモグラフィからの信号は、制御コマンド信号と、音声データ信号と、画像データ信号とを含む。
【００２５】
前記赤外線サーモグラフィ２は、組み込みプラットフォーム２０とカメラ２５とを含み、前記組み込みプラットフォーム２０には、前記携帯電話からの制御コマンドを受信及び識別し、受信及び識別された制御コマンドを、動作制御、画像キャプチャ及び音声記録／再生のそれぞれに対応する操作指令に変換するための制御モジュール２１と、前記赤外線サーモグラフィにより撮影された赤外線サーモグラム映像に対しキャプチャ、バッファリング及び送信を行うための画像キャプチャ・バッファリングモジュール２２（簡単に言えば、赤外線サーモグラフィ（ＶＳ６４０）の撮影機能を備える）と、前記携帯電話１からの音声データを受信して格納するとともに、前記携帯電話１に前記赤外線サーモグラフィ２により生成された音声データを送信する音声読み書きモジュール２３と、前記携帯電話１へ信号を送信、及び／または前記携帯電話１から信号を受信するためのサーモグラフィ通信インターフェース２４とが設けられる。前記携帯電話１へ送信される信号または前記携帯電話１からの信号は、制御コマンド信号と、音声データ信号と、画像データ信号とを含む。
【００２６】
ここで、サーバー側の画像キャプチャ・バッファリングモジュール２２に格納された赤外線サーモグラムはＪＰＥＧフォーマットであり、ＪＰＥＧの基準に準ずるが、前記赤外線サーモグラムには特有の赤外線温度計測データも含まれる。クライアント側の画像解析・処理モジュール１２における画像解析とは、赤外線サーモグラフィにより撮影されたＪＰＥＧイメージの赤外線データについて解析を行うことであり、サーバー側の画像キャプチャ・バッファリングモジュール２２及びクライアント側の画像解析・処理モジュール１２がＪＰＥＧイメージを取得した後、当該ＪＰＥＧイメージ中の温度計測データを読み出して温度を測定するために、前記赤外線温度計測データに対応する温度推測モデルに基づいて、当該ＪＰＥＧイメージに対し赤外線解析を行うようにすることである。
【００２７】
携帯電話通信インターフェース１４は、伝送媒体としてＷｉＦｉまたはＢｌｕｅｔｏｏｔｈ（登録商標）を用い、ＴＣＰまたはブルートゥースプロトコルに従って異なるデータをパッケージングして伝送する。
【００２８】
このようなデータ伝送の流れは以下のとおりである。
【００２９】
１.  クライアント側としての携帯電話１からユーザの入力を受け付け、
２.  入力（即ち、タッチまたはボタン押下のイベント）を解析し、
３.  異なるイベントに応じて伝送データをパッケージングし、
４.  前記携帯電話通信インターフェース１４は、現在の環境に応じて、ＷｉＦｉまたはＢｌｕｅｔｏｏｔｈ（登録商標）のいずれかを用いてデータを送信するかを選択し、
５.  サーバー側としての赤外線サーモグラフィ２（ＶＳ６４０）のサーモグラフィ通信インターフェース２４から携帯電話１の要求を受信してから、前記データに対し解析を行い、
６.  サーバー側は、異なるコマンドに応じて処理を行い、
７.  サーバー側は、処理が完了した後に送り返しデータをパッケージングし、
８.  前記サーモグラフィ通信インターフェース２４からＷｉＦｉまたはＢｌｕｅｔｏｏｔｈ（登録商標）を介してデータをクライアント側としての携帯電話１の携帯電話通信インターフェース１４に送信する。
【００３０】
ここで、携帯電話１と赤外線サーモグラフィ２に設置されたソフトウェアシステムは、キーボード・リモートコントロール・ソフトウェアシステムと、キャプチャー画像閲覧・解析ソフトウェアシステムと、音声処理ソフトウェアシステムとを含む。
【００３１】
（１）キーボード・リモートコントロール・ソフトウェアシステムは、携帯電話１にインストールされたキーボード操作ソフトウェアと赤外線サーモグラフィ２にインストールされたキーボード応答ソフトウェアとを含む。ユーザが実際の必要に応じて携帯電話１のボタンを押下することで各種の制御コマンドを出力すると、携帯電話１にインストールされたキーボード操作ソフトウェアは、ボタン動作に対するセンシング、解析及び前記ボタン動作に対応するスクリプト（簡単に言うと、当該スクリプトはボタン処理プログラムである）の呼び出すことによりクライアント側の指令を生成し、通信インターフェースを介して前記クライアント側の指令を赤外線サーモグラフィ２にリモート送信する。赤外線サーモグラフィ２は、前記クライアント側の指令を受信すると、インストールされたキーボード応答ソフトウェアにより前記クライアント側のコマンドを識別し、前記クライアント側の指令に対応するスクリプト（同様に、当該スクリプトもボタン処理プログラムである）を呼び出して該当する動作を行う。これにより、携帯電話１は、赤外線サーモグラフィ２の組み込みプラットフォーム２０及びカメラ２５の様々な動作に対してリモートコントロールを実現できる。
【００３２】
（２）キャプチャー画像閲覧・解析ソフトウェアシステムは、赤外線サーモグラフィ２の画像キャプチャ・バッファリングモジュール２２にインストールされた画像キャプチャ・バッファリングソフトウェアと、携帯電話１の画像解析・処理モジュール１２にインストールされた解析・閲覧ソフトウェアとを含む。赤外線サーモグラフィ２は、実際の必要に応じて、現時点またはその前やその後のある時点においてカメラ２５により撮影された赤外線映像をキャプチャ及びバッファリングし、また通信インターフェースを介してキャプチャされた画像データを携帯電話１にリモート送信する。携帯電話１は、前記画像データを受信した後、インストールされた解析・閲覧ソフトウェアを使用して必要な解析及び処理を行い、取得されたグラフやデータなどの情報を携帯電話のディスプレー１において閲覧できるようにする。前記解析及び処理には、温度情報の抽出と、各種の画面の作成及び表示と、異常状況の有無の判定と、異常が発生する際の警報又は他の処理とを含む。
【００３３】
（３）音声処理ソフトウェアシステムは、携帯電話１にインストールされた音声記録／再生ソフトウェアと、赤外線サーモグラフィ２にインストールされた音声読み書きソフトウェアとを含み、この２つのソフトウェアは、使用条件と使用方式が異なるだけで、いずれも記録／再生機能と読み書き機能とを備える。通常、携帯電話１と赤外線サーモグラフィ２は、いずれも音声記録、格納及び再生機能を備えるが、お互いに音声信号のやりとりを行うことはできない。しかしながら、実際の応用においては、特定な場合や動作の必要に応じて、携帯電話１に記録された音声情報を赤外線サーモグラフィ２に伝送して現場で再生する要求がある場合、または、ユーザが赤外線サーモグラフィ２に記録された音声情報を受聴またはバックアップするように、当該音声情報を携帯電話１に伝送する場合がある。そのため、本発明は、前記音声処理ソフトウェアを使用し、携帯電話１と赤外線サーモグラフィ２との間で音声信号の双方向伝送及び共有を実現できる。
【００３４】
言い換えると、携帯電話１と赤外線サーモグラフィ２に設置されたソフトウェアシステムは、クライアント側ソフトウェアとサーバー側ソフトウェアの２種類を含み、前記携帯電話１にインストールされた複数のソフトウェアはクライアント側ソフトウェアに該当し、前記サーモグラフィ２にインストールされた複数のソフトウェアはサーバー側ソフトウェアに該当する。
【００３５】
図２〜図３は、前記ハードウェアと前記ソフトウェアがそれぞれ設けられた携帯電話１と赤外線サーモグラフィ２の機能を示すブロック図である。
【００３６】
図２は携帯電話１の機能を示すブロック図である。図２に示すように、キーボード入力や画面入力などのメインユーザインターフェース操作を行った後、選択された通信方式に応じて、Ｂｌｕｅｔｏｏｔｈ（登録商標）通信とＷｉＦｉ通信のそれぞれの動作リモートコントロール出力、キャプチャー画像表示及び音声記録／再生などの下の階層のモジュール機能に入る。Ｂｌｕｅｔｏｏｔｈ（登録商標）通信とＷｉＦｉ通信の２組の機能は共用されてもよいが、ここでＢｌｕｅｔｏｏｔｈ（登録商標）とＷｉＦｉ別に機能を区別しているのは、例えばＷｉＦｉの組の機能は映像などのデータ量の多いファイルの伝送をカバーできるのに対し、Ｂｌｕｅｔｏｏｔｈ（登録商標）の組の機能は単一フレーム画面または画像などのデータ量の少ないファイルの伝送しかできないので、以降の応用において、両者が異なってくる可能性があるからである。
【００３７】
図３は赤外線サーモグラフィ２の機能を示すブロック図である。図３に示すように、携帯電話１からの制御コマンドを受信した後、具体的なコマンド内容に応じて、動作リモートコントロール入力、画像キャプチャ・バッファリング、及び音声信号の記録/再生などのさらに下の階層の機能項目に選択的に入り、さらに、これらの機能項目のそれぞれに対応するもっとさらに下の階層の機能項目であるスクリプト呼出、バッファー読み取り及び音声読み書きなどの操作により、前記赤外線サーモグラフィ２のカメラの撮影動作に対するリモートコントロールと、映像及び／または画像信号及び音声信号などに対する伝送及び処理とを実現する。
【００３８】
本発明に係る一実施例によれば、上記のように構成される本発明に係る赤外線サーモグラフィの制御システムにおいて、クライアント側としての携帯電話１からサーバー側としての赤外線サーモグラフィ２に伝送するデータは、記録要求を行うためのオーディオデータと、制御コマンドとを含む。前記制御コマンドは下記のコマンドを含む。
【００３９】
１.１基本制御コマンド：例えば、キーボード制御、音声記録／再生、画像キャプチャ及びタッチ制御などのコマンドを含む。
【００４０】
１.２目録送信（更新）コマンド：赤外線サーモグラフィ２に記録または格納された映像データファイル及びオーディオデータファイルを含む目録内容を、赤外線サーモグラフィ２から携帯電話１に送信する。
【００４１】
１.３音声記録／再生コマンド
１.３.１記録要求：特定のオーディオデータファイルを、携帯電話１から赤外線サーモグラフィ２に伝送し、赤外線サーモグラフィ２が伝送してきたオーディオデータファイルに基づいて記録、格納及び再生を行うか、又は、携帯電話１により赤外線サーモグラフィ２を制御して、ある時間帯以内のバックグランドの環境音を記録する。
【００４２】
１.３.２再生要求
１.３.２.１ファイル名指定再生：携帯電話１により赤外線サーモグラフィ２に格納されているいずれかの特定ファイル名を指定し、赤外線サーモグラフィ２により該当するオーディオデータを再生するか、又は、当該オーディオデータを携帯電話１に伝送して携帯電話１により再生する。
【００４３】
１.３.３指定オーディオファイルの削除：携帯電話１からコマンドを送信して、赤外線サーモグラフィ２に格納されているいずれかの特定ファイルを削除するようにする。
【００４４】
１.４カメラ画像キャプチャコマンド：携帯電話１からコマンドを送信して、赤外線サーモグラフィ２から該当する映像データを携帯電話１に伝送するようにする。
【００４５】
１.５デスクトップコマンド
１.５.１デスクトップキャプチャコマンド：携帯電話１からコマンドを送信して、赤外線サーモグラフィ２から現在のデスクトップキャプチャー画像データを携帯電話１に伝送するようにする。
【００４６】
１.５.２デスクトップ操作コマンド：携帯電話１からコマンドを送信して、赤外線サーモグラフィ２の現在のデスクトップに対して以下の操作を行う。
【００４７】
１.５.２.１シングルクリック
１.５.２.２ダブルクリック
１.５.２.３長押下、
１.５.２.４移動。
【００４８】
サーバー側から送り返されるデータは、カメラキャプチャー画像データと、再生を要求されたオーディオファイルデータと、デスクトップキャプチャー画像データと、目録内容とを含む。
【００４９】
図５は本発明に係る赤外線サーモグラフィの制御方法のフローチャートである。
【００５０】
本発明に係る実施例において、図５に示すように、赤外線サーモグラフィに対するリモートコントロールは、
前記赤外線サーモグラフィ２から離れた位置に設置された携帯電話１であるクライアント側により、前記赤外線サーモグラフィに対するリモートコントロール操作を供するステップと、
赤外線テスト及び／または監視を行うべき場所に取り付けられた赤外線サーモグラフィ２により、監視ターゲットの赤外線サーモグラム映像と前記赤外線サーモグラムに含まれる各ポイントの温度データを撮影して提供するステップを含む。
【００５１】
ここで、携帯電話１の赤外線サーモグラフィ２に対するリモートコントロール操作は、
（Ｓ１）前記赤外線サーモグラフィ２のカメラの方向変化及び位置移動、傾斜角度及び回転角度の変化、並びに画像の撮影動作を制御するステップと、
（Ｓ２）前記赤外線サーモグラフィ２により撮影された赤外線サーモグラム映像に対し画像キャプチャ、解析及び伝送を行い、携帯電話のディスプレーに表示するステップと、
（Ｓ３）前記携帯電話１からの音声情報を前記赤外線サーモグラフィに送信して記録及び／または再生を行うとともに、前記赤外線サーモグラフィ２からの音声情報を前記携帯電話に送信して記録及び／または再生を行うステップと、を含む。
【００５２】
前記リモートコントロール操作は、さらに、
（Ｓ４）前記携帯電話１と前記赤外線サーモグラフィ２のそれぞれに設置された携帯電話通信インターフェース１４とサーモグラフィ通信インターフェース２４により、前記携帯電話１と前記赤外線サーモグラフィ２との間において、両者の間で伝送される制御コマンド信号、音声データ信号及び画像データ信号を含む信号の信号通信を実現するステップ、を含む。
【００５３】
ここで注意すべきことは、最初の３つのステップＳ１〜Ｓ３はその順番に関係なく、いずれかの時間帯において具体的にどのステップの操作を選択して行うかは、実際の応用状況及び当時の動作状態に応じて決めてもよい。これらの３つのステップＳ１〜Ｓ３を実行するときに携帯電話１と赤外線サーモグラフィ２のそれぞれにより生成される各種の信号は、いずれもステップＳ４を通じて携帯電話１と赤外線サーモグラフィ２との間での信号伝送を実現する。
【００５４】
本発明の図４（Ａ）に示される実施例では、本発明に係るブルートゥースチャンネルに基づくポイント・ツー・ポイント通信方式を示している。前記携帯電話通信インターフェース１４と前記サーモグラフィ通信インターフェース２４との間では、ブルートゥース通信プロトコルに従ってブルートゥースチャンネルを介して無線通信を実現することができる。この場合、携帯電話１から赤外線サーモグラフィ２までの有効リモートコントロール距離は約０〜１５ｍである。
【００５５】
本発明の図４（Ｂ）〜図４（Ｃ）に示された実施例では、本発明に係るＷｉＦｉに基づくＬＡＮ通信方式を示している。前記携帯電話通信インターフェース１４と前記サーモグラフィ通信インターフェース２４との間では、ＷｉＦｉに基づくＬＡＮ通信プロトコルに従って通信を行うことができる。ここで、前記携帯電話１及び／または赤外線サーモグラフィ２のいずれもはＡＰ接入方式でインターネットに接続される（図４（Ｂ））。或いは、携帯電話１はＡＰ接入方式でインターネットに接続され、赤外線サーモグラフィ２は自分自身のネットワークデータインターフェース（当該インターフェースとして従来技術を採用可能）を介して直接インターネットに接続されてもよい（図４（Ｃ））。この場合、携帯電話１から赤外線サーモグラフィ２までの有效リモートコントロール距離は約３２〜９５ｍである。
【００５６】
本発明に係る携帯電話通信インターフェース１４と前記サーモグラフィ通信インターフェース２４との間では、ＷｉＦｉに基づくａｄ-ｈｏｃネットワーク通信プロトコルに従ってａｄ-ｈｏｃチャンネルを介して無線通信を実現することもできる。この場合、携帯電話１から赤外線サーモグラフィ２までのリモートコントロール距離は、通常３２〜９５ｍである。無線通信方式を利用しているとの点で上記の本発明に係る一実施例と同様であるため、ここでは、本発明に係るＷｉＦｉのａｄ-ｈｏｃの通信方式に基づく他の実施例も図４（Ａ）に示す。
【００５７】
本発明に係る実施例において、本発明の携帯電話通信インターフェース１４とサーモグラフィ通信インターフェース２４はそれぞれ以下の各種類のインターフェースの中から選ばれる。
【００５８】
１．ブルートゥースインターフェース
（１）Ａｎｄｒｏｉｄ  ２.２プラットフォームの基で、
（ａ）Ａｎｄｒｏｉｄ  ＳＤＫのブルートゥースのクラスとインターフェースを適用して、カメラ操作などのリモートコントロール機能を実現し、
（ｂ）Ａｎｄｒｏｉｄ  ＳＤＫにより提供される音声に関するクラスとインターフェースを適用して、音声記録／再生機能を実現し、
（ｃ）Ａｎｄｒｏｉｄプラットフォームのブルートゥースｓｏｃｋｅｔを適用して、画像データの伝送と受信を行い、イメージをプレビューする。
【００５９】
２．ＷｉＦｉインターフェース
（１）ＷｉＦｉインターフェースは、必要に応じて、ポイント・ツー・ポイント方式またはＡＰ方式を選択する。
【００６０】
（２）Ａｎｄｒｏｉｄ  ２.２プラットフォームの基で、
（ａ）Ａｎｄｒｏｉｄ  ＳＤＫのＷｉＦｉのクラスとインターフェースを適用して、カメラ操作などのリモートコントロール機能を実現し、
（ｂ）Ａｎｄｒｏｉｄ  ＳＤＫにより提供される音声に関するクラスとインターフェースを適用して、音声記録／再生機能を実現し、
（ｃ）Ａｎｄｒｏｉｄプラットフォームでのネットワークコーディングを適用して、画像データの伝送と受信を行い、イメージをプレビューする。
本発明において、携帯電話１と赤外線サーモグラフィ２のユーザインターフェースは、以下の要求を満たすことができる。
【００６１】
・階層化設計を行い（図２〜図３参照）、
・携帯電話と赤外線サーモグラフィのメインユーザインターフェースにおいて、「Ｂｌｕｅｔｏｏｔｈ（登録商標）」と「ＷｉＦｉ」との通信インターフェース方式の２つの選択肢を提供し、
・必要に応じてＡｎｄｒｏｉｄ  ＳＤＫのクラスを修正して、ユーザインターフェースを最適化することができ、
・異なる解像度の携帯電話キーボード表示を自動識別処理し、
・ユーザに優しいメッセージボックスを提供し、
・切替自在のユーザインターフェースを提供し、
・ユーザインターフェースの特殊効果を提供できる。
【００６２】
本発明は、監視用赤外線サーモグラフィとユーザにより常に携帯される携帯電話に対して一連のハードウェア及びソフトウェアの改良を行うことで、赤外線サーモグラフィと携帯電話との間でのデータ通信を実現でき、人間が赤外線サーモグラフィの監視場所に入り込むことや当該場所での長時間の作業に無理がある場合、ユーザは別の場所で携帯電話を用いて赤外線サーモグラフィに対するリモートコントロールを行うことができる。
【００６３】
ユーザは、赤外線サーモグラフィの組み込みプラットフォーム及びカメラの各種動作に対してリモートコントロールを行うとともに、ブルートゥース通信またはＷｉＦｉ通信などの方式を利用して、携帯電話と赤外線サーモグラフィとの間で画像及び音声信号のやり取り及び共有を実現できるため、携帯電話において赤外線サーモグラフィからの画像画面、温度データ及び音声信号をキャプチャして再生するか、又は、赤外線サーモグラフィにおいて携帯電話からの音声信号を記録/再生することができるので、現場にいないユーザが適時に現場状况を把握し適時に処置することが非常に容易に実現できる。
【符号の説明】
【００６４】
１携帯電話
１１キーボード
１２画像解析・処理モジュール
１３音声記録／再生モジュール
１４携帯電話通信インターフェース
１５ディスプレー
２赤外線サーモグラフィ
２０組み込みプラットフォーム
２１制御モジュール
２２画像キャプチャ・バッファリングモジュール
２３音声読み書きモジュール
２４サーモグラフィ通信インターフェース
２５カメラ
【図１】
2013068615.tif 000004
【図２】
2013068615.tif 000005
【図３】
2013068615.tif 000006
【図４Ａ】
2013068615.tif 000007
【図４Ｂ】
2013068615.tif 000008
【図４Ｃ】
2013068615.tif 000009
【図５】
2013068615.tif 000010